(57)【要約】      （修正有）【課題】コネクタの導電遮蔽スリーブの取り出しと密封スリーブの位置決め性の改善を行い、分解の効率および利便性を改善するコネクタを提供する。【解決手段】金属ハウジング３００と、金属ハウジング３００内に受け取られた絶縁体１００と、絶縁体１００内に設けられ、金属ハウジング３００内へ挿入すべきワイアに電気的に接続されるように適合された導電端子２００と、金属ハウジング３００内に取り付けられ、ワイアの導電遮蔽層の上に嵌合するように適合された導電遮蔽スリーブ７００と密封スリーブ９００を含むコネクタが提供される。導電遮蔽スリーブ７００が金属ハウジング３００内に取り付けられたとき、導電遮蔽スリーブ７００の外端の少なくとも一部は、金属ハウジング３００の外側まで延びる。【選択図】図２
2018073828.tif 000002
【特許請求の範囲】
【請求項１】
金属ハウジング（３００）と、
前記金属ハウジング（３００）内に受け取られた絶縁体（１００）と、
前記絶縁体（１００）内に設けられ、前記金属ハウジング（３００）内へ挿入すべきワイアに電気的に接続されるように適合された導電端子（２００）と、
前記金属ハウジング（３００）内に取り付けられ、前記ワイアの導電遮蔽層の上に嵌合するように適合された導電遮蔽スリーブ（７００）とを備え、
前記導電遮蔽スリーブ（７００）が前記金属ハウジング（３００）内に取り付けられたとき、前記導電遮蔽スリーブ（７００）の外端（７２０）の少なくとも一部は、前記金属ハウジング（３００）の外側まで延びている、
コネクタ。
【請求項２】
前記導電遮蔽スリーブ（７００）の前記外端（７２０）は、外方に曲がったリップ部分（７２１）を有するように形成され、前記外方に曲がったリップ部分（７２１）は、前記金属ハウジング（３００）の外側に位置し、前記金属ハウジング（３００）から所定の距離だけ隔置されている、請求項１に記載のコネクタ。
【請求項３】
前記ワイアの外側クラッド層の上に嵌合するように適合された密封スリーブ（９００）と、
前記密封スリーブ（９００）の上に嵌合されて取り付けられたクランプリング（８００）と、
前記金属ハウジング（３００）にねじ接続されたねじ付きスリーブ（６００）とをさらに備え、
前記ねじ付きスリーブ（６００）は、前記クランプリング（８００）を圧締めし、前記クランプリング（８００）を介して前記密封スリーブ（９００）を前記ワイアに押し付けて保持するように適合されている、
請求項２に記載のコネクタ。
【請求項４】
前記密封スリーブ（９００）および前記密封スリーブ（９００）の上に嵌合されて取り付けられた前記クランプリング（８００）は、前記導電遮蔽スリーブ（７００）の前記外端（７２０）内に部分的に受け取られて位置するように適合されている、請求項３に記載のコネクタ。
【請求項５】
前記導電遮蔽スリーブ（７００）の前記外方に曲がったリップ部分（７２１）は、先細りした開口（７２１ａ）を有するように形成され、前記先細りした開口（７２１ａ）は、内方に徐々に狭くなっており、前記密封スリーブ（９００）および前記クランプリング（８００）を前記導電遮蔽スリーブ（７００）の前記外端（７２０）内へ案内するように構成されている、請求項４に記載のコネクタ。
【請求項６】
前記クランプリング（８００）は、筒状体（８２０）と、前記筒状体（８２０）に接続された複数の弾性爪（８１０）とを備え、前記複数の弾性爪（８１０）は、前記筒状体（８２０）の周りで円周方向に隔置され、
前記ねじ付きスリーブ（６００）は、先細りした内壁面（６１０）を備え、前記先細りした内壁面（６１０）は、外方に徐々に狭くなっており、前記密封スリーブ（９００）に対して前記クランプリング（８００）の前記複数の弾性爪（８１０）を圧締めするように構成されている、請求項３に記載のコネクタ。
【請求項７】
前記金属ハウジング（３００）は、第１の端部（３１０）および第２の端部（３２０）を備え、前記導電遮蔽スリーブ（７００）は、前記金属ハウジング（３００）の前記第２の端部（３２０）内に取り付けられ、前記ねじ付きスリーブ（６００）は、前記第２の端部（３２０）上へねじ接続されている、請求項３に記載のコネクタ。
【請求項８】
前記導電遮蔽スリーブ（７００）の前記外方に曲がったリップ部分（７２１）は、前記金属ハウジング（３００）の前記第２の端部（３２０）の端面（３２１）から前記所定の距離だけ隔置されている、請求項７に記載のコネクタ。
【請求項９】
前記導電遮蔽スリーブ（７００）の前記外端（７２０）の内径は、前記導電遮蔽スリーブ（７００）の本体（７１０）の内径より大きい、請求項１に記載のコネクタ。
【請求項１０】
前記導電遮蔽スリーブ（７００）の前記本体（７１０）と前記金属ハウジング（３００）との間に密封リング（１２）が設けられ、前記密封リング（１２）は、前記導電遮蔽スリーブ（７００）と前記金属ハウジング（３００）との間で圧縮されている、請求項９に記載のコネクタ。
【請求項１１】
前記導電遮蔽スリーブ（７００）の前記本体（７１０）内に円形溝（７１１）が形成され、前記密封リング（１２）は、前記導電遮蔽スリーブ（７００）の前記円形溝（７１１）内に位置決めされている、請求項１０に記載のコネクタ。
【請求項１２】
前記金属ハウジング（３００）を前記導電端子（２００）から電気的に分離するように前記絶縁体（１００）と前記金属ハウジング（３００）との間に設けられた絶縁および分離スリーブ（４００）をさらに備えている、請求項１に記載のコネクタ。
【請求項１３】
前記金属ハウジング（３００）は、第１の端部（３１０）および第２の端部（３２０）を備え、前記金属ハウジング（３００）の前記第１の端部（３１０）は前記第２の端部（３２０）に直交しており、それにより前記コネクタは、直角のエルボコネクタとして形成されている、請求項１に記載のコネクタ。
【請求項１４】
前記絶縁体（１００）は、前記金属ハウジング（３００）の前記第１の端部（３１０）内に受け取られており、前記ワイアは、前記金属ハウジング（３００）の前記第２の端部（３２０）から前記コネクタ内へ延びている、請求項１３に記載のコネクタ。
【請求項１５】
前記金属ハウジング（３００）の第１の端部（３１０）にねじ接続された第１のナット（５１０）をさらに備え、前記第１のナット（５１０）は、前記金属ハウジング（３００）内で前記絶縁体（１００）を位置決めするように適合されている、請求項１４に記載のコネクタ。
【請求項１６】
前記絶縁体（１００）の一方の端部は、前記金属ハウジング（３００）の前記第１の端部（３１０）から外方に延びており、
前記コネクタは、前記金属ハウジング（３００）の前記第１の端部（３１０）から外方に延びる前記絶縁体（１００）の前記一方の端部の上に嵌合されて取り付けられた第２のナット（５２０）をさらに備え、前記第２のナット（５２０）は、相手コネクタにねじ接続されるように適合されている、請求項１５に記載のコネクタ。
【請求項１７】
前記第１のナット（５１０）と前記第２のナット（５２０）との間に弾性導電素子（５３０）が設けられて圧縮され、それにより前記第１のナット（５１０）および前記第２のナット（５２０）は、互いに電気的に接続されている、請求項１６に記載のコネクタ。
【請求項１８】
前記コネクタは、円形の断面を有する円形のコネクタとして形成されている、請求項１に記載のコネクタ。
【請求項１９】
前記ワイアを前記導電端子（２００）に電気的に接続するために、前記導電端子（２００）の一方の端部にねじ接続され、前記コネクタ内へ延びる前記ワイアの一方の端部を前記導電端子（２００）の一方の端部上へ圧締めして固定するように適合されたねじ（２１０）をさらに備えている、請求項１に記載のコネクタ。
【発明の詳細な説明】
【技術分野】
【０００１】
関連出願の相互参照
本出願は、開示全体が参照により本明細書に組み込まれている、中国国家知識産権局に２０１６年１０月２７日に出願された中国特許出願第ＣＮ２０１６１０９５７１２１．４号の利益を主張するものである。
【０００２】
本開示の実施形態は、一般に、コネクタに関する。
【背景技術】
【０００３】
従来技術では、計器、制御機器、および電気機器内に適用される円形のコネクタは、概して、絶縁体と、絶縁体内に保持された導電端子と、絶縁体の上に嵌合されて取り付けられた金属ハウジングと、金属ハウジングの一方の端部内に取り付けられた導電遮蔽スリーブとを含む。金属ハウジングの一方の端部からコネクタ内へワイアを挿入し、コネクタ内で導電端子に電気的に接続することができる。導電遮蔽スリーブは、ワイアの導電遮蔽層の上に嵌合されて、信号伝送品質を確保するために、ワイアに対する電磁遮蔽を提供する。
【０００４】
従来技術では、導電遮蔽スリーブは通常、金属ハウジングの一方の端部内に完全に収容されており、したがって使用者の指が金属ハウジングの外側から導電遮蔽スリーブに直接接触することはできず、金属ハウジングから導電遮蔽スリーブを手動で取り外すことは困難であり、したがってコネクタの分解にとって不都合を生じている。
【０００５】
加えて、従来技術では通常、ワイアの外側クラッド層の上に嵌合された密封スリーブが、導電遮蔽スリーブの外側に位置しており、導電遮蔽スリーブによって位置決めすることはできず、その結果、密封スリーブが容易に傾斜し、それによって密封スリーブの密封作用が損なわれる。
【発明の概要】
【発明が解決しようとする課題】
【０００６】
本開示は、上記その他の問題および欠点のうちの少なくとも１つを克服または軽減するためになされたものである。
【０００７】
本開示の目的によれば、導電遮蔽スリーブを金属ハウジングから手で容易に取り出すことができ、コネクタの分解の効率および利便性を改善するコネクタが提供される。
【０００８】
本開示の別の目的によれば、導電遮蔽スリーブ内に密封スリーブが受け取られて位置決めされ、密封スリーブが適切な位置に設置されることを確実にし、したがって密封スリーブの密封作用が改善されるコネクタが提供される。
【課題を解決するための手段】
【０００９】
本開示の一態様によれば、金属ハウジングと、金属ハウジング内に受け取られた絶縁体と、絶縁体内に設けられ、金属ハウジング内へ挿入すべきワイアに電気的に接続されるように適合された導電端子と、金属ハウジング内に取り付けられ、ワイアの導電遮蔽層の上に嵌合するように適合された導電遮蔽スリーブとを備えるコネクタが提供される。導電遮蔽スリーブが金属ハウジング内に取り付けられたとき、導電遮蔽スリーブの外端の少なくとも一部は、金属ハウジングの外側まで延びる。
【００１０】
本開示の例示的な実施形態によれば、導電遮蔽スリーブの外端は、外方に曲がったリップ部分を有するように形成され、外方に曲がったリップ部分は、金属ハウジングの外側に位置し、金属ハウジングから所定の距離だけ隔置される。
【００１１】
本開示の別の例示的な実施形態によれば、コネクタは、ワイアの外側クラッド層の上に嵌合するように適合された密封スリーブと、密封スリーブの上に嵌合されて取り付けられたクランプリングと、金属ハウジングにねじ接続されたねじ付きスリーブとをさらに備える。ねじ付きスリーブは、クランプリングを圧締めし、クランプリングを介して密封スリーブをワイアに押し付けて保持するように適合される。
【００１２】
本開示の別の例示的な実施形態によれば、密封スリーブおよび密封スリーブの上に嵌合されて取り付けられたクランプリングは、導電遮蔽スリーブの外端内に部分的に受け取られて位置するように適合される。
【００１３】
本開示の別の例示的な実施形態によれば、導電遮蔽スリーブの外方に曲がったリップ部分は、先細りした開口を有するように形成され、先細りした開口は、内方に徐々に狭くなっており、密封スリーブおよびクランプリングを導電遮蔽スリーブの外端内へ案内するように構成される。
【００１４】
本開示の別の例示的な実施形態によれば、クランプリングは、筒状体と、筒状体に接続された複数の弾性爪とを備え、複数の弾性爪は、筒状体の周りで円周方向に隔置される。ねじ付きスリーブは、先細りした内壁面を備え、先細りした内壁面は、外方に徐々に狭くなっており、密封スリーブに対してクランプリングの複数の弾性爪を圧締めするように構成される。
【００１５】
本開示の別の例示的な実施形態によれば、金属ハウジングは、第１の端部および第２の端部を備え、導電遮蔽スリーブは、金属ハウジングの第２の端部内に取り付けられ、ねじ付きスリーブは、第２の端部上へねじ接続される。
【００１６】
本開示の別の例示的な実施形態によれば、導電遮蔽スリーブの外方に曲がったリップ部分は、金属ハウジングの第２の端部の端面から所定の距離だけ隔置される。
【００１７】
本開示の別の例示的な実施形態によれば、導電遮蔽スリーブの外端の内径は、導電遮蔽スリーブの本体の内径より大きい。
【００１８】
本開示の別の例示的な実施形態によれば、導電遮蔽スリーブの本体と金属ハウジングとの間に密封リングが設けられ、密封リングは、導電遮蔽スリーブと金属ハウジングとの間で圧縮される。
【００１９】
本開示の別の例示的な実施形態によれば、導電遮蔽スリーブの本体内に円形溝が形成され、密封リングは、導電遮蔽スリーブの円形溝内に位置決めされる。
【００２０】
本開示の別の例示的な実施形態によれば、コネクタは、金属ハウジングを導電端子から電気的に分離するように絶縁体と金属ハウジングとの間に配置された絶縁および分離スリーブをさらに備える。
【００２１】
本開示の別の例示的な実施形態によれば、金属ハウジングは、第１の端部および第２の端部を備え、金属ハウジングの第１の端部は第２の端部に直交しており、それによりコネクタは、直角のエルボコネクタとして形成される。
【００２２】
本開示の別の例示的な実施形態によれば、絶縁体は、金属ハウジングの第１の端部内に受け取られており、ワイアは、金属ハウジングの第２の端部からコネクタ内へ延びる。
【００２３】
本開示の別の例示的な実施形態によれば、コネクタは、金属ハウジングの第１の端部にねじ接続された第１のナットをさらに備え、第１のナットは、金属ハウジング内で絶縁体を位置決めするように適合される。
【００２４】
本開示の別の例示的な実施形態によれば、絶縁体の一方の端部は、金属ハウジングの第１の端部から外方に延びており、コネクタは、金属ハウジングの第１の端部から外方に延びる絶縁体の一方の端部の上に嵌合されて取り付けられた第２のナットをさらに備え、第２のナットは、相手コネクタにねじ接続されるように適合される。
【００２５】
本開示の別の例示的な実施形態によれば、第１のナットと第２のナットとの間に弾性導電素子が設けられて圧縮され、それにより第１のナットおよび第２のナットは、互いに電気的に接続される。
【００２６】
本開示の別の例示的な実施形態によれば、コネクタは、円形の断面を有する円形のコネクタとして形成される。
【００２７】
本開示の別の例示的な実施形態によれば、コネクタは、ワイアを導電端子に電気的に接続するために、導電端子の一方の端部にねじ接続され、コネクタ内へ延びるワイアの一方の端部を導電端子の一方の端部上へ圧締めして固定するように適合されたねじをさらに備える。
【００２８】
本開示の例示的な実施形態では、導電遮蔽スリーブの外端が金属ハウジングの外側まで延びているため、操作者は、導電遮蔽スリーブの外端を手で直接保持することができ、それにより導電遮蔽スリーブを金属ハウジングから容易に取り外すことができ、コネクタの分解の効率および利便性が改善される。
【００２９】
加えて、本開示のいくつかの例示的な実施形態では、コネクタの密封スリーブは、導電遮蔽スリーブ内に受け取られて位置決めされ、それにより密封スリーブが正しい位置に設置されることを保証し、密封スリーブの密封作用を改善することができる。
【００３０】
本開示の他の目的および利点は、添付の図面と併せて本開示の以下の説明から明らかになり、本開示の包括的な理解を与えることができる。
【００３１】
本開示の上記その他の特徴について、添付の図面を参照して説明する。
【図面の簡単な説明】
【００３２】
【図１】本開示の例示的な実施形態によるコネクタの斜視概略図である。
【図２】図１に示すコネクタの長手方向断面図である。
【図３】図２に示すコネクタの導電遮蔽スリーブの断面図である。
【図４】図２に示すコネクタの導電遮蔽スリーブの斜視概略図である。
【図５】コネクタの金属ハウジング内に取り付けられた図３に示す導電遮蔽スリーブの概略図である。
【発明を実施するための形態】
【００３３】
本開示の技術的な解決策について、添付の図面と併せて、以下の実施形態を参照してさらに詳細に説明する。添付の図面を参照する本開示の実施形態の以下の説明は、本開示の発明の一般概念について説明することが意図されるものであり、本開示を限定すると解釈されるべきではない。
【００３４】
以下の詳細な説明において、説明の目的で、開示する実施形態の徹底的な理解を提供するために、多数の特有の詳細について述べる。しかし、これらの特有の詳細がなくても１つまたは複数の実施形態を実施することができることが明らかである。他の例では、図面を簡略化するために、よく知られている構造およびデバイスは概略的に示す。
【００３５】
本開示の一般概念によれば、金属ハウジングと、金属ハウジング内に受け取られた絶縁体と、絶縁体内に設けられ、金属ハウジング内へ挿入すべきワイアに電気的に接続されるように適合された導電端子と、金属ハウジング内に取り付けられ、ワイアの導電遮蔽層の上に嵌合するように適合された導電遮蔽スリーブとを備えるコネクタが提供される。導電遮蔽スリーブが金属ハウジング内に取り付けられたとき、導電遮蔽スリーブの外端の少なくとも一部は、金属ハウジングの外側まで延びる。
【００３６】
図１は、本開示の例示的な実施形態によるコネクタの概略斜視図を示す。図２は、図１に示すコネクタの長手方向断面図を示す。
【００３７】
図示の実施形態では、図１および図２に示すように、コネクタは主に、絶縁体１００と、導電端子２００と、金属ハウジング３００と、導電遮蔽スリーブ７００とを備える。絶縁体１００は、金属ハウジング３００内に受け取られる。導電端子２００は、絶縁体１００内に保持され、金属ハウジング３００内へ挿入されたワイア（図示せず）に電気的に接続されるように適合または構成される。導電遮蔽スリーブ７００は、金属ハウジング３００内に取り付けられ、ワイアの導電遮蔽層の上に嵌合するように適合または構成される。
【００３８】
図５は、コネクタの金属ハウジング３００内に取り付けられた導電遮蔽スリーブ７００の概略図を示す。
【００３９】
図示の実施形態では、図５に示すように、導電遮蔽スリーブ７００が金属ハウジング３００内に取り付けられたとき、導電遮蔽スリーブ７００の外端７２０の少なくとも一部は、金属ハウジング３００の外側まで延びる。したがって、操作者は、導電遮蔽スリーブ７００の外端７２０を手で直接保持することができ、それにより導電遮蔽スリーブ７００を金属ハウジング３００から手で容易に取り外すことができ、コネクタの分解の効率および利便性が改善される。
【００４０】
図３は、図２に示すコネクタの導電遮蔽スリーブ７００の断面図を示す。図４は、図２に示すコネクタの導電遮蔽スリーブ７００の斜視概略図を示す。
【００４１】
図示の実施形態では、図３〜５に示すように、導電遮蔽スリーブ７００の外端７２０は、外方に曲がりまたは延びるリップ部分７２１を有するように形成され、外方に曲がりまたは延びるリップ部分７２１は、金属ハウジング３００の外側に位置し、金属ハウジング３００から所定の距離だけ隔置される。
【００４２】
図示の実施形態では、図２に示すように、コネクタは、ワイアの外側クラッド層の上に嵌合するように適合された密封スリーブ９００と、密封スリーブ９００の上に嵌合されて取り付けられたクランプリング８００と、金属ハウジング３００にねじ接続されたねじ付きスリーブ６００とをさらに備える。ねじ付きスリーブ６００は、クランプリング８００を圧締めし、クランプリング８００を介して密封スリーブ９００をワイアに押し付けて保持するように適合される。
【００４３】
図示の実施形態では、図２に示すように、密封スリーブ９００および密封スリーブ９００の上に嵌合されたクランプリング８００は、導電遮蔽スリーブ７００の外端７２０内に部分的に受け取られて位置するように適合され、密封スリーブ９００およびクランプリング８００が適切な位置に設置されることを確実にし、したがって密封スリーブ９００の密封作用が改善される。
【００４４】
図示の実施形態では、図３および図５に示すように、導電遮蔽スリーブ７００の外方に曲がりまたは延びるリップ部分７２１は、先細りした開口７２１ａを有するように形成され、先細りした開口７２１ａは、内方に徐々に狭くなっており、密封スリーブ９００およびクランプリング８００を導電遮蔽スリーブ７００の外端７２０内へ案内するように構成される。
【００４５】
図示の実施形態では、図２に示すように、クランプリング８００は、筒状体８２０と、筒状体８２０に接続された複数の弾性爪８１０とを備え、複数の弾性爪８１０は、筒状体８２０の周りで円周方向に隔置される。ねじ付きスリーブ６００は、先細りした内壁面６１０を備え、先細りした内壁面６１０は、外方に徐々に狭くなっており、密封スリーブ９００に対してクランプリング８００の複数の弾性爪８１０を圧締めするように構成される。
【００４６】
図示の実施形態では、図２に示すように、金属ハウジング３００は、第１の端部３１０および第２の端部３２０を備え、導電遮蔽スリーブ７００は、金属ハウジング３００の第２の端部３２０内に取り付けられ、ねじ付きスリーブ６００は、第２の端部３２０にねじ接続される。導電遮蔽スリーブ７００の外方に曲がりまたは延びるリップ部分７２１は、金属ハウジング３００の第２の端部３２０の端面３２１から所定の距離だけ隔置される。したがって、導電遮蔽スリーブ７００の外方に曲がりまたは延びるリップ部分７２１と金属ハウジング３００の第２の端部３２０の端面３２１との間の間隙内へ使用者の指を差し入れることができ、導電遮蔽スリーブ７００を手で把持して引き出すことが容易になる。
【００４７】
図示の実施形態では、図２に示すように、導電遮蔽スリーブ７００の外端７２０の内径は、導電遮蔽スリーブ７００の本体７１０の内径より大きい。導電遮蔽スリーブ７００の本体７１０は、金属ハウジング３００の第２の端部３２０内に完全に受け取られる。
【００４８】
図示の実施形態では、図２に示すように、導電遮蔽スリーブ７００の本体７１０と金属ハウジング３００との間に密封リング１２が設けられ、密封リング１２は、導電遮蔽スリーブ７００と金属ハウジング３００との間で圧縮される。導電遮蔽スリーブ７００の本体７１０内に円形溝７１１が形成され、密封リング１２は、導電遮蔽スリーブ７００の円形溝７１１内に位置決めされる。
【００４９】
図示の実施形態では、図２に示すように、コネクタは、金属ハウジング３００を導電端子２００から電気的に分離するように絶縁体１００と金属ハウジング３００との間に設けられた絶縁および分離スリーブ４００をさらに備える。
【００５０】
図示の実施形態では、図２に示すように、金属ハウジング３００の第１の端部３１０は第２の端部３２０に直交しており、それによりコネクタは、直角のエルボコネクタとして形成される。
【００５１】
図示の実施形態では、図２に示すように、絶縁体１００は、金属ハウジング３００の第１の端部３１０内に受け取られており、ワイアは、金属ハウジング３００の第２の端部３２０からコネクタ内へ延びる。
【００５２】
図示の実施形態では、図２に示すように、絶縁体１００の外壁内に円形溝が形成され、円形溝内に密封リング１１を受け取る。密封リング１１は、絶縁体１００と金属ハウジング３００との間に圧縮される。
【００５３】
図示の実施形態では、図２に示すように、コネクタは、ワイアを導電端子２００に電気的に接続するために、導電端子２００の一方の端部にねじ接続され、コネクタ内へ延びるワイアの一方の端部を導電端子２００の一方の端部上へ圧締めして固定するように適合されたねじ２１０をさらに備える。
【００５４】
図示の実施形態では、図２に示すように、コネクタは、金属ハウジング３００の第１の端部３１０にねじ接続された第１のナット５１０をさらに備え、第１のナット５１０は、金属ハウジング３００内で絶縁体１００を位置決めするように適合される。
【００５５】
図示の実施形態では、図２に示すように、絶縁体１００の一方の端部は、金属ハウジング３００の第１の端部３１０から外方に延びており、コネクタは、金属ハウジング３００の第１の端部３１０から外方に延びる絶縁体１００の一方の端部の上に嵌合されて取り付けられた第２のナット５２０をさらに備え、第２のナット５２０は、相手コネクタにねじ接続されるように適合される。
【００５６】
図示の実施形態では、図２に示すように、第１のナット５１０と第２のナット５２０との間に弾性導電素子５３０が設けられて圧縮され、それにより第１のナット５１０および第２のナット５２０は、互いに電気的に接続される。
【００５７】
図示の実施形態では、図２に示すように、コネクタは、円形の断面を有する円形のコネクタとして形成される。
【００５８】
本開示の前述の例示的な実施形態では、導電遮蔽スリーブの外端が金属ハウジングの外側まで延びているため、操作者は、導電遮蔽スリーブの外端を手で直接保持することができ、それにより導電遮蔽スリーブを金属ハウジングから容易に取り外すことができ、コネクタの分解の効率および利便性が改善される。
【００５９】
加えて、本開示のいくつかの例示的な実施形態では、コネクタの密封スリーブは、導電遮蔽スリーブ内に受け取られて位置決めされ、それにより密封スリーブが適切な位置に設置されることを保証し、密封スリーブの密封作用を改善することができる。
【００６０】
上記の実施形態は例示的であることが意図されることを、当業者には理解されたい。当業者であれば、上記の実施形態に多くの修正を加えることができ、異なる実施形態に記載した様々な特徴は、構成上または原理上矛盾することなく、互いに自由に組み合わせることができる。
【００６１】
本開示について、添付の図面を参照して説明したが、これらの図面に開示した実施形態は、本開示の好ましい実施形態の例示であることが意図され、本開示を限定すると解釈されるべきではない。
【００６２】
いくつかの例示的な実施形態について図示および説明したが、これらの実施形態では、本開示の原理および精神から逸脱することなく、様々な変更または修正を加えることができ、本開示の範囲は、特許請求の範囲およびその均等物に定義されることが、当業者には理解されよう。
【００６３】
本明細書では、「備える、含む（ｃｏｍｐｒｉｓｅｓ）」および／または「備える、含む（ｃｏｍｐｒｉｓｉｎｇ）」という用語は、他の要素またはステップを除外するものではなく、単数形の「ａ」、「ａｎ」、および「ｔｈｅ」は、複数形も同様に含むことが意図されることに留意されたい。加えて、特許請求の範囲内のあらゆる参照番号は、本開示の範囲を限定すると理解されるべきではない。
【図１】
2018073828.tif 000003
【図２】
2018073828.tif 000004
【図３】
2018073828.tif 000005
【図４】
2018073828.tif 000006
【図５】
2018073828.tif 000007
【外国語明細書】
2018073828000001.pdf